(57)【特許請求の範囲】
【請求項１】
飛翔昆虫を引き寄せる光を発光する光源と、粘着剤が表面に塗布された四角形の透明基材フィルムを湾曲させた状態で前記光源から距離を置き、前記表面を外にして被せる捕虫シートと、前記捕虫シートで覆われていない前記光源が露出している面を塞いで飛翔昆虫の侵入を防止する本体板並びに遮蔽板とを備えた捕虫器にあって、前記捕虫シートの対向する二辺には、前記遮蔽板と前記本体板とに脱着自在に取り付けられる固定板を具備し、それらの固定板でもって前記捕虫シートがアーチ状に支持されていることを特徴とする捕虫器。
【請求項２】
前記固定板と前記本体板の当接面、並びに前記固定板と前記遮蔽板の当接面には、これらを嵌合する複数個の係合部が設けられ、これらの係合部は一方を他方に差し込んで係合する形状となっている、又は前記固定板が鋼板の場合は前記本体板及び前記遮蔽板に磁石が設けられている請求項１に記載の捕虫器。
【請求項３】
前記本体板を床面又はテーブル上に設置でき、更に前記本体板に取り付け孔が設けられていることにより、壁に掛けて設置できることを特徴とする請求項１又は請求項２に記載の捕虫器。
【発明の詳細な説明】
【技術分野】
【０００１】
本発明は、蛍光灯に誘引され、飛来する蠅などの飛翔昆虫を粘着シートで捕獲する捕虫器に関する。
【背景技術】
【０００２】
従来から蠅などの飛翔昆虫を光で誘引して捕獲する捕虫器が色々と提案されている。
【０００３】
飛翔昆虫が灯に引き寄せられる性質を利用して捕獲する捕虫器としては、粘着シートで飛翔昆虫を捕獲するタイプ、電灯の下に薄い布からなる袋を設け、電灯に集まる飛翔昆虫を送風により袋に入れて出られなくするタイプ、高電圧部分に飛来した飛翔昆虫に放電して死滅させるタイプなどが提案されている。
【０００４】
蛍光灯で飛翔昆虫を誘引し、粘着シートで捕獲する捕虫器は、利便性に優れると共に効率的に捕虫することが出来るために、食品関連の工場や施設で多く採用されている。
【０００５】
しかし、多くは大型で高価であるだけでなく、高所や壁面に固定するタイプがほとんどであり、捕虫器を自由に移動したりすることを考慮したものではなく、自由度のないものであった。
【０００６】
飲食店や小売店などにおいて、顧客が捕虫器を目にする場合は、粘着シートを外観からは見えなくするため、半透明カバーなどで覆われる。そのため、飛翔昆虫が蛍光灯に引き寄せられる性質を利用して捕獲する捕虫器としては、半透明カバーが蛍光灯の誘引機能を低下させる問題があった。
【０００７】
また、飛翔昆虫を誘引する蛍光灯（誘引灯）の外側に粘着シートが取り付けられるが、粘着シートと蛍光灯との間には、飛翔昆虫が侵入できる空間があるため、飛翔昆虫がその中に侵入して、蛍光灯を汚す問題がある。また、飲食店などでは、調理時に発生する微細な油粒子が蛍光灯に付着するため、それによって捕虫効果を低下させる問題がある。さらに汚れた蛍光灯を清掃するなどのメンテナンスも必要となるため、取り扱いが面倒であるなどの問題があった。
【０００８】
下記特許文献1の発明は、本発明者等が開発したものであるが、本発明は、壁などに固定するものである。この蛍光灯は、粘着シートと本体器具で覆われているが、蛍光灯の光は、捕虫器の一面の開口部からだけ拡散するから、誘引効率が落ちる問題があった。また大型の捕虫器であり、コスト面においても、小規模の店舗や家庭用としては適さないものであった。
【０００９】
下記特許文献２の発明は、粘着シートが蛍光灯の背面に位置するために、粘着シートの交換が煩雑であると共に、蛍光灯が露出しているために、蛍光灯を汚すことがあり、清掃面でも煩雑となる問題がある。また持ち運びができないため、小規模の店舗や家庭用としては、適さないものであった。
【００１０】
ベンハー芙蓉（株）、朝日産業（株）、（株）ピオニーコーポレーションなどのホームページ（下記非特許文献参照）には、様々な蛍光灯に誘引される飛翔昆虫を粘着シートで捕獲する捕虫器が掲載されている。
【００１１】
しかしながら、これらの先行技術文献には、（１）透明な粘着剤シートをアーチ状にして蛍光灯の三面を被うことで光の拡散を広範囲にし、（２）蛍光灯が粘着シートと捕虫器本体や遮蔽板で覆うことにより、蛍光灯を汚すことなく清掃の煩雑さをなくし、（３）粘着シートの交換が安易で、（４）軽量かつ小型で自由に持ち運ぶことができ、テーブル上や壁に掛けることが出来る要件を備え持つ捕虫器は掲載されていない。
【先行技術文献】
【特許文献】
【００１２】
【特許文献１】特許第４６６００９９号公報
【特許文献２】特許第２５９９１０１号公報
【非特許文献】
【００１３】
【非特許文献１】ベンハー芙蓉株式会社      ホームページ      商品名ムシポン
【非特許文献２】朝日産業株式会社    ホームページ      商品名ムシポリス
【非特許文献３】株式会社ピオニーコーポレーション      ホームページ      商品名捕虫器 シリーズ（工場用、店舗用）
【発明の概要】
【発明が解決しようとする課題】
【００１４】
本発明は、捕虫シート（以下、粘着シートに固定板を付けたものを捕虫シートと呼ぶ、また使用時には離型紙を剥がす）の交換が容易で、飛翔昆虫を誘引する光源となる蛍光灯などの光を効果的に拡散させて捕虫効果の低下を防ぎ、加えて光源が飛翔昆虫や調理時に発生する油煙等によって汚れるのを防ぎ、さらに捕虫器を天井や壁面に固定することなく手軽に床面、テーブル上、壁面などに移動できる捕虫器を提供することを課題とする。                                                      
【課題を解決するための手段】
【００１５】
図１２は、本発明の捕虫器を説明するための説明概念図である。この図において、捕虫器Ｍは、飛翔昆虫を引き寄せる光源Ｌと、粘着剤が表面に塗布された四角形の透明基材フィルムをアーチ状（Ｕ字状を含む）に湾曲させた状態で前記光源Ｌから離間（離間距離は１０ｍｍから６０ｍｍ程度が良い。）させ、粘着剤が塗布された前記表面を外にして被せる捕虫シートＳと、前記捕虫シートＳの、前記光源Ｌが露出している面を塞いで飛翔昆虫の侵入を防止する本体板Ｈ並びに遮蔽板ＳＹとを備えている。
【００１６】
ここで、四角形の捕虫シートＳをアーチ状に曲げて光源Ｌに被せると、補虫シートＳで形成されるアーチ状の三つの側面が開放状態となるから、開放された一側面又は二側面を本体板Ｈで覆い、残りの二側面又は一側面を遮蔽板ＳＹで覆う構成とする。図１２では、斜線で示す両サイドの二側面を遮蔽板ＳＹで覆い、底面を本体板Ｈで覆っているが、底面と一側面を本体板Ｈで覆い、残りの一側面を遮蔽板ＳＹで覆っても良い。さらに、一側面を本体板Ｈとし、残りの二側面を遮蔽板ＳＹで覆う構成であってもよい。したがって、本発明においては、本体板Ｈと遮蔽板ＳＹの配置は、図１２の形態には、限定されない。こうした構成により、飛翔昆虫は捕虫シートＳで捕獲され、捕虫器Ｍの設置場所が厨房などの場合は、光源Ｌが捕虫シートＳ、遮蔽板ＳＹ、本体板Ｈで覆われて、調理で飛散する油分などが補虫シートＳで囲まれた内部に侵入しないから、光源Ｌとしての蛍光灯などは汚れない。
【００１７】
本発明は、飛翔昆虫を引き寄せる光を発光する光源と、粘着剤が表面に塗布された四角形の透明基材フィルムを湾曲させた状態で前記光源から距離を置き、前記表面を外にして被せる捕虫シートと、前記捕虫シートで覆われていない前記光源が露出している面を塞いで飛翔昆虫の侵入を防止する本体板並びに遮蔽板とを備えた捕虫器にあって、前記捕虫シートの対向する二辺には、前記遮蔽板と前記本体板とに脱着自在に取り付けられる固定板を具備し、それらの固定板でもって前記捕虫シートがアーチ状に支持されていることを特徴とする。
【００１８】
前記捕虫シートＳの対向する二辺には、前記遮蔽板ＳＹと前記本体板Ｈとに脱着自在に取り付けられる固定板Ｋを具備し、それらの固定板Ｋでもって前記捕虫シートＳがアーチ状に支持されるものである。この捕虫シートＳは、捕虫器Ｍの形態に合わせて適宜な大きさのものを選択することができる。また、固定板Ｋの材質（たとえばプラスチックや厚紙や鋼板など）は任意に決めればよく、簡単に交換できるものとする。この固定板Ｋを設けることにより、粘着剤の塗布された部分が手に付くのを防止して、取り扱い易くしている。そして、補虫シートＳが装着されると、それがアーチ状に湾曲するから、飛翔昆虫を誘引する光源Ｌの光を周囲に効果的に拡散させて誘引効率を高めることが出来る。
【００１９】
本発明の捕虫器は、前記固定板と前記本体板の当接面、並びに前記固定板と前記遮蔽板の当接面には、これらを嵌合する複数個の係合部が設けられ、これらの係合部は一方を他方に差し込んで係合する形状となっている、又は前記固定板が鋼板の場合は前記本体板及び前記遮蔽板に磁石が設けられていることを特徴とする。
【００２０】
この係合部Ｒは、例えば、一方が突起であると、他方がその突起を差し込む孔、又は、その突起を挟み込む溝で構成することができるが、これらには限定されない。また、遮蔽板ＳＹが一面だけの場合などは、アーチ状に保つためにガイド棒、ガイド凸部、ガイド板などを本体板Ｈに設ければよい。これにより、捕虫シートＳの脱着が容易になるとともに、捕虫シートＳの固定板Ｋを、直交する二面となる遮蔽板ＳＹと本体板Ｈとでしっかりと保持することができる。したがって、捕虫シートＳを所望の姿勢で確実に保持することができる。
【００２１】
光源Ｌとしては、直管式または電球形の蛍光灯、白熱電球またはＬＥＤ電球等を使用することができる。蛍光灯は、市販の安価なものを使用することができ、ＬＥＤ電球を使用する場合は、電池で点灯させることができるから、配電設備のない場所でも手軽に設置することができる。
【００２２】
本体板Ｈは、例えば、金属製とし、そこに光源Ｌとしての電球形蛍光灯や小容量ワット直管式蛍光灯などを配置し、必要に応じて金属製Ｕ字状格子枠体Ｆを着脱自在に取り付ける。また、本体板Ｈは、捕虫シートＳの一側面又は二側面を覆うものであり、一側面に設ける場合は、四角形または円形の平面板となる。また、二側面に設ける場合は、本体板ＨはＬ字状、又は、一面が平面板とし、他の一面を曲面板とするなど、種々の形状から任意に選択することができる。これらの本体板Ｈに前記光源Ｌ、捕虫シートＳ、金属製Ｕ字状格子枠体Ｆを取り付けることにより、捕虫器Ｍは様々な形態とすることができる。
【００２３】
本発明の捕虫器は、前記本体板を床面又はテーブル上に設置でき、更に前記本体板に取り付け孔が設けられていることにより、壁に掛けて設置できることを特徴とする。
【００２４】
また、本体板に壁掛け用の取り付け孔および持ち運び用の捕虫器持手１９を設け、前記捕虫シートに離間（離間距離は１０ｍｍから３０ｍｍ程度が良い。）させて被せる金属製Ｕ字状格子枠体を、前記本体板に着脱自在に固定するようにしたので、捕虫器Ｍが小さく軽量となり、持ち運びも容易になり、またテーブルに置いたり壁に設けたフックに掛けたりし使用することも出来る。
【発明の効果】
【００２５】
本発明によれば、光源Ｌをアーチ状（Ｕ字状を含む）にした捕虫シートＳで被うようにしたから、飛翔昆虫を引き寄せる光源Ｌの光を効果的に拡散させて捕虫効果を高めることができる。また、捕虫シートＳで覆われていない面を遮蔽板ＳＹや本体板Ｈで塞いで飛翔昆虫が内部に侵入できないようにしたから、光源Ｌを飛翔昆虫や油煙等で汚すおそれがなくなる。さらに、捕虫シートＳは剥き出しの光源Ｌに脱着自在に被せるだけであるから、補虫シートＳの交換作業が極めて簡単にできる。さらに、金属製Ｕ字状格子枠体Ｆで捕虫シートＳを保護すれば、捕虫器Ｍを固定することなく、自由に持ち運ぶことができ、業務用だけでなく一般家庭用としても使用でき、かつ安価な捕虫器Ｍとすることができる。
【図面の簡単な説明】
【００２６】
【図１】捕虫器Ａに使用する捕虫シートの平面図
【図２】図１のＸ−Ｘ線断面図
【図３】図１のＹ−Ｙ線断面図
【図４】直管式蛍光灯を使用した捕虫器Ａの正面図
【図５】直管式蛍光灯を使用した捕虫器Ａの右側面図
【図６】直管式蛍光灯を使用した捕虫器Ａの分解斜視図
【図７】図４のＸ−Ｘ線拡大断面図
【図８】図４のＹ−Ｙ線拡大断面図
【図９】電球形蛍光灯を使用した捕虫器Ｂの正面図
【図１０】電球形蛍光灯を使用した捕虫器Ｂの右側面図
【図１１】電柱形蛍光灯を使用した捕虫器Ｂの分解斜視図
【図１２】本発明の特徴を説明するための説明概念図
【発明を実施するための形態】
【００２７】
以下、本発明に係る捕虫器Ｍの実施形態を図１〜図１１に基づいて説明する。なお、図１〜図８（図１〜図３は捕虫シートの図である。）は、アーチ状に湾曲させた補虫シート１５（Ｓ）の底面を本体板１０（Ｈ）で覆った実施形態であり、図９〜図１１は、その捕 虫シート１５（Ｓ）の底面とそれと直交する一側面とを本体板１０（Ｈ）で覆った実施形 態を示す。これらの図において、前者の実施形態に係る補虫器ＭをＡ，後者の実施形態に 係る補虫器ＭをＢとしている。
【００２８】
図１は、これらの実施形態に使用する捕虫シート１５（Ｓ）の一例を示す平面図。図２は、図１のＸ−Ｘの断面図、図３は、Ｙ−Ｙの断面図を示す。これらの図において、粘着シート１は、四角形の透明基材フィルム７で形成され、その表面には、周縁の一部の領域を残して、粘着剤６が全面に塗布されている。またその粘着シート１の両端部には、接着剤９を介して固定板８（Ｋ）がそれぞれ取り付けられ、その固定板８（Ｋ）の端部には、素手で持てる持手部２が形成されている。この捕虫シート１５（Ｓ）は、湾曲させた状態で、粘着剤６が塗布された面を外に向けて光源Ｌに被せることのできる十分なサイズを備えている。
【００２９】
固定板８（Ｋ）が取り付けられていない他の二辺には、縁から３ｍｍから１０ｍｍの範 囲で粘着剤６が塗布されていない領域を設けている（図３参照）。これにより、捕虫シー ト１５（Ｓ）の開放された側面を後述の遮蔽板１４（ＳＹ）や本体板１０（Ｈ）で塞ぐと きに、これらに粘着剤６が付着しないようにしている。また、粘着剤６を塗布していない 部分は、離型紙５を剥がす際に剥がし易くする役目もする。
【００３０】
また、この固定板８（Ｋ）には、後述の本体板１０（Ｈ）や遮蔽板１４（ＳＹ）と連結す るために二カ所の係合部Ｒ（係合凹部３、係合凸部４）が設けられている。
【００３１】
光源Ｌとしては、直管式蛍光灯、電球形蛍光灯、ツイン蛍光灯などの６ワットから３２ワット程度の蛍光灯を使用する。また、電球形蛍光灯やツイン蛍光灯は、直接電源に繋ぐことが出来るため、小型の補虫器に適している。直管式蛍光灯としては、小ワットの１０ワット形、１５ワット形などから選択すればよい。電球形蛍光灯としては、定格消費電力が１０、１１、１２ワット（６０Ｗ省電力形）から選択する。ツイン蛍光灯としては、６，９，１３，１８，２３，２７，３２ワットから選択すればよい。また、４０、６０、１００ワットの白熱電球を選択することもできる。 さらに、より利便性を高めるためには、電力消費量の少ないＬＥＤ電球を使用すれば良い。その場合は、本体に電池とスイッチを設ければ済むので、電気コードやコンセントの必要がなくなり、より小型化・軽量化が図れると共に、コンセントの場所に制約されることなく捕虫器Ｍを使用することができる。
【実施例１】
【００３２】
図４〜図８は、直管式蛍光灯１３を使用した実施例を示す。この実施例では、補虫シート１５（Ｓ）をアーチ状に形成したときに、その底面部分に本体板１０（Ｈ）を配置し、その両側面に遮蔽板１４（ＳＹ）を配置する。本体板１０（Ｈ）は、金属製のプレートで構成され、そこには、蛍光灯本体１１と、その両サイドに配置する遮蔽板１４（ＳＹ）と が取り付けられる。そして、その蛍光灯本体１１全体を覆うように、アーチ状に湾曲させ た補虫シート１５（Ｓ）をその上から被せる。その補虫シート１５（Ｓ）の本体板１０（Ｈ）への取り付けは、固定板８（Ｋ）の係合凸部４を遮蔽板１４（ＳＹ）に設けた係合孔部２１に差し込み、他方の係合凹部３を図６の遮蔽板１４（ＳＹ）に設けた係合凹部２２に差し込むことによって取り付ける。これらの係合部Ｒは、直交する二方向からの係合となるため、対向するそれぞれの遮蔽板１４（ＳＹ）に着脱自在に固定することができる。
【００３３】
この本体板１０（Ｈ）と遮蔽板１４（ＳＹ）との連結は、溶接による接合の他、本体板１０（Ｈ）に設けたスリットに遮蔽板１４（ＳＹ）の突起を差し込み、そのスリットから 出た突起の先端部分を折り曲げて本体板１０（Ｈ）の底面に沿わせる等、適宜な構成を採ることができる。また、この実施例の捕虫器Ａは、テーブルに置くことを基本とするが、 持ち運んだり壁に掛けたりするために、本体板１０（Ｈ）に壁掛け用の取り付け孔１８と、捕虫器持手１９を設けている。
【００３４】
捕虫シート１５（Ｓ）を直管式蛍光灯１３に被せるときは、蛍光灯１３より２０ｍｍ離してアーチ状に取り付けた。その際、図５に示すように、捕虫シート１５（Ｓ）の両サイドが遮蔽板１４（ＳＹ）の上から被さるように取り付ける。また、捕虫シート１５（Ｓ）をアーチ状に保持するためには、遮蔽板１４（ＳＹ）の縁に捕虫シートの非粘着面を添わせればよい。
【００３５】
さらに、補虫シート１５（Ｓ）が剥き出しのままであるから、その外側に２０ｍｍ離して金属製Ｕ字状格子枠体１６を本体板１０（Ｈ）に取り付ける。その取り付けは、図６、図７に示すように、金属製の本体板１０（Ｈ）の四隅を一部浮き上がらせてフック状の固定部１７を形成し、そこに、Ｕ字状に湾曲させた金属製Ｕ字状格子枠体１６の裾フレームを差し込んで固定する。その際、裾フレームを外側に少し広げておくと、それが固定部１７に挟み込まれたときに裾フレームのバネ力によって金属製Ｕ字状格子枠体１６を固定部１７に保持させることができる。図７は、金属製Ｕ字状格子枠体１６の裾フレームが本体板１０の固定部１７に挿入されて固定されている状態を示す。なお、この実施例では光源Ｌとして、小泉電器製の直管式蛍光灯器具型番ＢＨＧ４３０１ ７８Ｚ（蛍光灯本体１１および１０ワット蛍光灯）を使用している。
【実施例２】
【００３６】
図９〜図１１に示すものは、本体板１０（Ｈ）をＬ字状に曲げ、その二側面でアーチ状の捕虫シート１５（Ｓ）の二側面を覆うようにしたものである。この実施例では、電球形蛍光灯２３を使用する。なお、図９は、捕虫器Ｂの正面図、図１０は、その右側面図、図 １１は、捕虫器Ｂの主要部を分離した状態の斜視図である。
【００３７】
これらの図において、この実施例の本体板１０（Ｈ）は、底面および背面からなるＬ字状の金属板からなり、その本体板１０（Ｈ）の底面に磁器製レッセプ２４を設置し、そこに電球形蛍光灯２３を取り付けている。さらに捕虫シート１５（Ｓ）を取り付けるために、底面と背面が交差する底面側に係合孔部２８を設け、そこに固定板８（Ｋ）の係合凸部４を差し込んでいる。また、捕虫シート１５（Ｓ）の上端開口部を塞ぐ遮蔽板１４（ＳＹ）には、実施例１と同様に係合凹部２２を設けて、そこに固定板８（Ｋ）の係合凹部３を差し込んでいる。
【００３８】
さらに、捕虫シート１５（Ｓ）の下端部の変形を防止するために、本体板１０（Ｈ）には、位置規制ガイド凸部２７を設けている。このガイド凸部２７は、アーチ状に曲げられた捕虫シート１５（Ｓ）の頂点部分の内側に沿うように設けられている。また、磁器製レセップ２４の両サイドには、本体板１０と遮蔽板１４とを連結する２本のガイド棒２６が取り付けられ、そのガイド棒２６でＵ字状の捕虫シート１５（Ｓ）を安定させている。また、このガイド棒２６を、電球形蛍光灯２３の上方でアーチ状に連結することにより、そのアーチ部分を、捕虫器Ｂを持ち運ぶ捕虫器持手１９としている。
【００３９】
また、本体板１０（Ｈ）の底面には、金属製Ｕ字状格子枠体１６の位置決め用の５つの位置固定ガイド凸部２５を設けている。
【００４０】
また、本体板１０（Ｈ）の背面側には、金属製Ｕ字状格子枠体１６を固定するための一対の固定部１７を設けることで、実施例１と同様に金属製Ｕ字状格子枠体１６のバネ力を利用して固定できるようにしている。また、底部中央には、電源コード２０を通す穴も設けている。
【００４１】
捕虫シート１５（Ｓ）を装着するときは、本体板１０（Ｈ）の底面に設けた係合穴部２８および遮蔽板１４の係合凹部２２に、左右の固定板８の係合凸部４と係合凹部３をそれぞれ差し込む。これにより、捕虫シート１５（Ｓ）をアーチ状に保持して捕虫器Ｂに取り付けることができる。
【００４２】
この電球形蛍光灯２３を使用した捕虫器Ｂは、テーブル上や床に捕虫器Ｂを設置することで、また壁面に設けたフックに捕虫器Ｂの壁掛け用取り付け孔１８を引っかけて設置することができる。これにより、一般家庭においては、就寝時などに、飲食店などの店舗においては、厨房や閉店時に、室内の飛翔昆虫を捕虫シート１５（Ｓ）で捕獲することが出来る。
【００４３】
このように捕虫器Ｂを任意の場所に移動できるのは、本発明の捕虫器Ｂが1Ｋｇ程度の軽量な捕虫器Ｂであることと、使用する電球形蛍光灯が１５ｃｍ×５ｃｍ角未満であり小型の捕虫器Ｂであるためである。
【００４４】
この実施例では光源Ｌとして、朝日電器製の磁製丸型レセプタクルＳＢ−１７１３Ｈとオーム電機製電球形蛍光灯ＥＦＤ−５１ＥＬ／１２−Ｅ１７−ＳＰを使用した。
【符号の説明】
【００４５】
Ｍ    捕虫器
Ｓ      捕虫シート
Ｌ      光源
Ｈ      本体板 
ＳＹ  遮蔽板
Ｋ    固定板
Ｒ    係合部 
１    粘着シート
２    固定板持手
３    係合凹部
４    係合凸部
５    離型紙
６    粘着剤
７    透明基材フィルム
８    固定板
９    接着剤
１０      本体板
１１      蛍光灯本体
１２      蛍光灯支持具
１３      直管式蛍光灯
１４      遮蔽板
１５      捕虫シート
１６      金属製Ｕ字状格子枠体
１７      固定部
１８      壁掛け用の取り付け孔
１９      捕虫器持手
２０      電源コード
２１      （遮蔽板）係合孔部
２２      （遮蔽板）係合凹部
２３      電球形蛍光灯
２４      磁器製レッセプ
２５      位置固定ガイド凸部
２６      捕虫シートのガイド棒
２７      位置規制ガイド凸部
２８      係合孔部
２９      粘着剤の非塗工部
【図１】
0006413185.tif 000002
【図２】
0006413185.tif 000003
【図３】
0006413185.tif 000004
【図４】
0006413185.tif 000005
【図５】
0006413185.tif 000006
【図６】
0006413185.tif 000007
【図７】
0006413185.tif 000008
【図８】
0006413185.tif 000009
【図９】
0006413185.tif 000010
【図１０】
0006413185.tif 000011
【図１１】
0006413185.tif 000012
【図１２】
0006413185.tif 000013